(57)【要約】【課題】多数の観察方法に対応可能であって、低ステージ化により観察者の操作による疲労の軽減を可能とする正立顕微鏡を提供する。【解決手段】本発明の正立顕微鏡１は、標本Ｓを載置するステージ３と、ステージ３を上下方向に移動可能に保持する焦準機構と、光源４からの光を集光するコレクタレンズ５と、複数の光学素子が配置されているターレットと、前記ターレットを回転可能に保持する回転軸部材と、を有し、前記光学素子のうちの１つを、前記回転軸部材の回転により光源４の集光位置であって光軸Ｌ上に選択的に配置する光学素子ターレット６と、前記光学素子からの光を略平行光として前記標本に照射するコンデンサレンズ７と、を備え、光学素子ターレット６は、ステージ３下面に配置されることを特徴とする。【選択図】図１
2018116178.tif 000002
【特許請求の範囲】
【請求項１】
標本を載置するステージと、
前記ステージを上下方向に移動可能に保持する焦準機構と、
光源からの光を集光するコレクタレンズと、
複数の光学素子が配置されているターレットと、前記ターレットを回転可能に保持する回転軸部材と、を有し、前記ステージ下面に配置され、前記光学素子のうちの１つを、前記回転軸部材の回転により前記光源の集光位置であって光軸上に選択的に配置する光学素子ターレットと、
光軸上に配置された前記光学素子からの光を略平行光として前記標本に照射するコンデンサレンズと、
を備えることを特徴とする正立顕微鏡。
【請求項２】
前記ステージは、前記標本を載置する上ステージ部と、前記焦準機構に固定されている下ステージ部と、を有し、
前記光学素子ターレットは、前記下ステージ部の下面に固定されていることを特徴とする請求項１に記載の正立顕微鏡。
【請求項３】
前記コンデンサレンズは、前記光軸と直交する方向に移動することにより前記光軸上に挿脱可能な先玉レンズと、前記光軸上に固定されている後玉レンズとからなることを特徴とする請求項１または２に記載の正立顕微鏡。
【請求項４】
前記コンデンサレンズは、前記光軸と直交する方向に移動することにより前記光軸上に挿脱可能な先玉レンズと、前記光軸上に固定されている後玉レンズとからなり、
前記先玉レンズは、前記下ステージ部上で前記光軸と直交する方向に移動し、前記後玉レンズは、前記下ステージ内に配置されていることを特徴とする請求項２に記載の正立顕微鏡。
【発明の詳細な説明】
【技術分野】
【０００１】
本発明は、透過照明光学系を備える正立顕微鏡に関する。
【背景技術】
【０００２】
従来、細胞や細菌などの標本を観察する臨床検査用の正立顕微鏡では、標本の特性に応じて、明視野観察、暗視野観察、位相差観察などの観察方法が選択可能とされている。
【０００３】
複数の観察方法に対応するために、正立顕微鏡のステージ下部に観察方法に応じたコンデンサレンズや複数の光学素子を保持したターレットコンデンサを配置し、ターレットの回転により、所望の光学素子を光軸上、かつケーラー照明の光源像の位置に選択的に配置させている（例えば、特許文献１および２参照）。
【先行技術文献】
【特許文献】
【０００４】
【特許文献１】特開平１１−３２６７７６号公報
【特許文献２】特開平３−１５７６０９号公報
【発明の概要】
【発明が解決しようとする課題】
【０００５】
特許文献１および２のターレットコンデンサでは、先玉レンズおよび後玉レンズからなるコンデンサレンズが、光学素子を保持するターレットを回転可能に収容する本体部の光軸上に、先玉レンズはアームを介して光軸上に挿脱可能に固定されるとともに、後玉レンズは本体部内に固定されているため、ターレットコンデンサの厚さが厚くなる。また、顕微鏡への取り付け部が本体部の下部に設けられているが、ターレットコンデンサ取付け時の位置再現性のためアリ形状等が採用され、これによりターレットコンデンサの厚さがさらに増してしまう。したがって、このターレットコンデンサを取り付けた顕微鏡のステージ高さが高くなり、多数の検査標本の観察を行う臨床検査用途では、顕微鏡操作による観察者の疲労が増大してしまう。
【０００６】
本発明は、上記に鑑みてなされたものであって、多数の観察方法に対応可能であって、低ステージ化により観察者の操作による疲労の軽減を可能とする正立顕微鏡を提供することを目的とする。
【課題を解決するための手段】
【０００７】
上述した課題を解決し、目的を達成するために、本発明にかかる正立顕微鏡は、標本を載置するステージと、前記ステージを上下方向に移動可能に保持する焦準機構と、光源からの光を集光するコレクタレンズと、複数の光学素子が配置されているターレットと、前記ターレットを回転可能に保持する回転軸部材と、を有し、前記ステージ下面に配置され、前記光学素子のうちの１つを、前記回転軸部材の回転により前記光源の集光位置であって光軸上に選択的に配置する光学素子ターレットと、光軸上に配置された前記光学素子からの光を略平行光として前記標本に照射するコンデンサレンズと、を備えることを特徴とする。
【０００８】
また、本発明にかかる正立顕微鏡は、上記発明において、前記ステージは、前記標本を載置する上ステージ部と、前記焦準機構に固定されている下ステージ部と、を有し、前記光学素子ターレットは、前記下ステージ部の下面に固定されていることを特徴とする。
【０００９】
また、本発明にかかる正立顕微鏡は、上記発明において、前記コンデンサレンズは、前記光軸と直交する方向に移動することにより前記光軸上に挿脱可能な先玉レンズと、前記光軸上に固定されている後玉レンズとからなることを特徴とする。
【００１０】
前記コンデンサレンズは、前記光軸と直交する方向に移動することにより前記光軸上に挿脱可能な先玉レンズと、前記光軸上に固定されている後玉レンズとからなり、前記先玉レンズは、前記下ステージ部上で前記光軸と直交する方向に移動し、前記後玉レンズは、前記下ステージ内に配置されていることを特徴とする。
【発明の効果】
【００１１】
本発明によれば、光学素子ターレットをステージ下面に配置することにより、多数の観察方法に対応可能であって、低ステージ化が可能となり、観察者の操作による疲労を軽減することができる。
【図面の簡単な説明】
【００１２】
【図１】図１は、本発明の実施の形態にかかる正立顕微鏡の全体構成を示す側面図である。
【図２Ａ】図２Ａは、図１の正立顕微鏡で使用するステージおよび光学素子ターレットの上面図である。
【図２Ｂ】図２Ｂは、図２Ａのステージの内部構造を示す斜視図である。
【図２Ｃ】図２Ｃは、図２ＡのＡ−Ａ線断面図である。
【図２Ｄ】図２Ｄは、図２Ａのステージで先玉レンズを光軸上から退避させた際の断面図である。
【図３】図３は、光学素子ターレットの底面図の一態様（明視野配置の状態）を示す図である。
【図４】図４は、光学素子ターレットの底面図の一態様（位相差配置の状態）を示す図である。
【図５Ａ】図５Ａは、本発明の実施の形態の変形例１にかかるステージの斜視図である。
【図５Ｂ】図５Ｂは、図５Ａのステージの一部拡大図である。
【図６Ａ】図６Ａは、本発明の実施の形態の変形例２にかかる光学素子ターレットの底面図の一態様を示す図である。
【図６Ｂ】図６Ｂは、発明の実施の形態の変形例２にかかる光学素子ターレットの一部断面図である。
【発明を実施するための形態】
【００１３】
以下、図面を参照し、本発明の好適な実施の形態（以下「実施の形態」という）について詳細に説明する。なお、この実施の形態によって本発明が限定されるものではない。また、図面の記載において、同一部分には同一の符号を付して示している。
【００１４】
（実施の形態）
図１は、本発明の実施の形態にかかる正立顕微鏡の全体構成を示す側面図である。本発明の実施の形態にかかる正立顕微鏡１は、顕微鏡本体２と、標本Ｓを載置するステージ３と、ステージ３を上下方向に移動可能に保持する焦準機構（図示しない）と、光源４からの光を集光するコレクタレンズ５と、複数の光学素子が配置される光学素子ターレット６と、光学素子からの光を略平行光として標本Ｓに照射するコンデンサレンズ７と、を備える。
【００１５】
顕微鏡本体２は、ベース部２ａと、ベース部２ａの背面側に立設する柱部２ｂと、柱部２ｂに支持されて正面側に向かって延在するアーム部２ｃとを有する。ベース部２ａは、机上等の正立顕微鏡１が設置される場所に直接載置される部分であり、内部に光源４およびコレクタレンズ５が配置されている。また、ベース部２ａは、焦準台８を介してステージ３を保持する。
【００１６】
ベース部２ａの後方には、焦準ハンドル１３が配置され、ラック＆ピニオン機構等から構成される焦準機構（図示しない）と連結されている。焦準ハンドル１３の回転により、焦準台８およびステージ３を上下方向に移動する。ステージ３は、標本Ｓを載置する上ステージ３ａ（図２Ｃ参照）と、焦準台８を介して顕微鏡本体２の柱部２ｂに保持されている下ステージ３ｂ（図２Ｃ参照）とを有する。上ステージ３ａには、クレンメル１５（図２Ａ参照）が組み付けられ、ステージハンドル１４の操作により、標本Ｓを水平方向に移動する。さらに、上ステージ３ａには、開口穴１６が設けられている（図２Ａ参照）。
【００１７】
柱部２ｂは、ベース部２ａの背面側（奥側）に立設され、下端部でベース部２ａと一体化されている。アーム部２ｃは、柱部２ｂの上端から正立顕微鏡１の正面側に向かってベース部２ａに対向して水平に延在し、下側にレボルバ９が取り付けられるとともに、上側に鏡筒１０および接眼レンズ１１が取り付けられている。なお、本明細書において、正立顕微鏡１の正面側は観察者が位置する側であり、背面側は正面側に対向する側を意味する。
【００１８】
レボルバ９は、アーム部２ｃに対して回転自在に保持され、対物レンズ１２を標本Ｓの上方に配置する。対物レンズ１２は、レボルバ９に対して倍率（観察倍率）の異なる他の対物レンズ１２とともに交換自在に装着されており、レボルバ９の回転に応じて光軸Ｌ上に挿入されて標本Ｓの観察に用いる対物レンズ１２が択一的に切り換えられるようになっている。
【００１９】
光源４は、発光素子と蛍光体とを有する白色ＬＥＤであるが、ハロゲンランプ等を使用することもできる。光源４から出射された照明光は、コレクタレンズ５、光学素子ターレット６内の光学素子、ならびにコンデンサレンズ７を構成する後玉レンズ７ｂおよび先玉レンズ７ａを順次通過し、標本Ｓに照射されて透過することになる。標本Ｓを透過した光は、対物レンズ１２を透過し、鏡筒１０内に配置される図示しない結像レンズ、プリズムを通過して結像され、接眼レンズ１１により観察できるようになる。
【００２０】
次に、本実施の形態にかかる正立顕微鏡１の光学素子ターレット６およびコンデンサレンズ７について図を参照して説明する。図２Ａは、図１の正立顕微鏡１で使用するステージ３および光学素子ターレット６の上面図である。図２Ｂは、図２Ａのステージ３の内部構造を示す斜視図である。図２Ｃは、図２ＡのＡ−Ａ線断面図である。図２Ｄは、図２Ａのステージ３で先玉レンズ７ａを光軸Ｌ上から退避させた際の断面図である。図３および図４は、光学素子ターレット６の底面図の一態様である。
【００２１】
光学素子ターレット６は、複数の光学素子６１ａ、６１ｂ、６１ｃ、６２、６３および６４を配置したターレット６５と、回転軸ｍを中心としてターレット６５を回転可能に保持する回転軸部材６６と、を備える。
【００２２】
ターレット６５には、円周状に開口６５ａ−１、６５ａ−２、６５ａ−３、６５ａ−４、６５ａ−５および６５ａ−６が形成され、開口６５ａ−１〜６５ａ−６内に光学素子６１ａ、６１ｂ、６１ｃ、６２、６３および６４が配置されている。また、ターレット６５の外周部には、操作部６５ｂが形成され、操作部６５ｂを回転することにより、光学素子６１ａ、６１ｂ、６１ｃ、６２、６３および６４のうちのいずれか一つを光軸Ｌ上に選択的に配置する。図２Ｃおよび図３では、光軸Ｌ上に開口絞りである光学素子６４を配置した状態、図４では位相差観察用の光学素子６１ａを配置した状態を示している。
【００２３】
ターレット６５の中心には、摺動穴６５ｃが設けられ、回転軸部材６６が挿嵌されている。回転軸部材６６の先端部には雄ネジが形成され、下ステージ３ｂのネジ穴３１に係合されている。
【００２４】
光学素子６１ａ、６１ｂおよび６１ｃは、位相差観察用の光学素子であり、位相差観察用の対物レンズ１２の倍率に応じて選択される。光学素子６１ａ、６１ｂおよび６１ｃは、ターレット６５に内蔵された弾性部材６７と押し込みネジ６８により、開口６５ａ−１、６５ａ−２、６５ａ−３内に移動可能にそれぞれ保持されている。光学素子６１ａ、６１ｂおよび６１ｃは、下ステージ３ｂの底面に設けられる心出し操作部３３の先端３３ａで、押し込みネジ６８をねじ込むことにより心出しされる。なお、心出し操作部３３には、弾性部材（図示しない）が内蔵され、心出し操作時を除き、その付勢力で先端３３ａがターレット６５の外側に位置するように調製されている。
【００２５】
暗視野観察用の光学素子６２および低倍率用の光学素子６３は、開口６５ａにそれぞれ固定されている。明視野観察用の開口絞りである光学素子６４は、絞りハネ６４ａと、絞りハネ６４ａを開閉する開口絞り操作部６４ｂと、を有し、絞りハネ６４ａは、開口６５ａに開閉可能に保持されている。
【００２６】
ターレット６５および回転軸部材６６は、回転軸部材６６を下ステージ３ｂの底面に形成されたネジ穴３１に係合することにより、下ステージ３ｂの底面に直接固定されている。下ステージ３ｂの底面には、板バネなどの弾性部材からなる係り止め部３２が設けられる。ターレット６５には、溝６５ｄが形成され、溝６５ｄで係り止め部３２を受けることにより、ターレット６５を回転した際の回転方向の位置が決定されている。
【００２７】
図２Ｃおよび図２Ｄに示すように、コンデンサレンズ７の先玉レンズ７ａは、押さえ環３４によりコンデンサレンズ枠３５に押し付けられて保持されている。コンデンサレンズ枠３５は、下ステージ３ｂ上に配置される板状のスライド部３６にビス４６等により取り付けられている。また、後玉レンズ７ｂは、下ステージ３ｂ内に内蔵されている。
【００２８】
下ステージ３ｂ上には、前後方向（正面側から背面側）に一対のガイド部３７が平行に配置され、このガイド部３７に形成された凹部３７ａ上にスライド部３６の端部が配置される。ガイド部３７の上面には、凹部３７ａとともにスライド部３６の端部を保持するカバー３８がビス３９等により固定されている。また、下ステージ３ｂ上には、ガイド部３７と直交するようにバネ材４０がビス４１等により固定され、バネ材４０はカバー３８の上方からスライド部３６を下方に押圧する。バネ材４０の端部にはボール（図示しない）が接着され、ボールはスライド部３６の端部に形成されている第１溝部４２ａ、第２溝部４２ｂ、第３溝部４２ｃ上を移動する。第１溝部４２ａは楕円柱状、第２溝部４２ｂは略矩形柱状、第３溝部４２ｃは円錐状をなし、第１溝部４２ａ〜第３溝部４２ｃはクリック機構を構成している。
【００２９】
スライド部３６の前面側には、つまみ４３が形成され、このつまみ４３に指をかけ、ガイド部３７と平行にスライド部３６を移動させることにより、先玉レンズ７ａを光軸Ｌから退避させる。スライド部３６を背面側に移動させ、バネ材４０のボールが第１溝部４２ａの角部に乗り上げた状態、すなわち、スライド部３６を位置決め用ピン４４に押し当てることで、先玉レンズ７ａは光軸Ｌに位置決めされる。
【００３０】
つまみ４３に指をかけ、ガイド部３７と平行にスライド部３６を正面側に移動させることにより、先玉レンズ７ａを光軸Ｌから退避させる。スライド部３６を正面側に移動させ、バネ材４０のボールを第３溝部４２ｃに入れ込むことにより、先玉レンズ７ａは退避位置に位置決めされる。また、下ステージ３ｂ上にはストッパー４５が配置され、バネ材４０のボールが第３溝部４２ｃより正面側に乗り上げた場合でも、ストッパー４５にスライド部３６が当て付くことによりスライド部３６の移動が制限され、ボールが第３溝部４２ｃに引き込まれ位置決めされる。
【００３１】
本実施の形態では、光学素子ターレット６は、複数の照明方法に対応した光学素子６１ａ、６１ｂ、６１ｃ、６２、６３および６４を備え、照明方法に応じた光学素子の交換が不要となる。また、コンデンサレンズ７をステージ３内に内蔵するため、光学素子ターレット６の厚みを低減することができるとともに、光学素子ターレット６とステージ３の連結スペースを従来より狭めることができステージ３の退避量を確保しながらステージ３の高さを低くすることができる。これにより、多数の検査標本を観察する際、観察者の手の移動量を小さくすることができ、疲労を軽減することができる。さらに、光学素子ターレット６は、ステージ３に直接連結するため、光学素子ターレット６の傾き要因が少なくなり、照明性能を向上することができる。さらにまた、先玉レンズ７ａを下ステージ３ｂの上面側に設置しているため、標本Ｓ近くに先玉レンズ７ａが配置されることとなり、優れた照明性能を得ることができる。なお、光学素子ターレット６をステージ３に固定して着脱不可とすることにより、ステージと３の連結スペースが上下方向で狭まり、光学素子ターレット６の厚さを着脱可能とする場合よりさらに薄くすることができる。
【００３２】
また、上記の実施の形態では、低倍率用の光学素子６３を使用する場合、スライド部３６の前面側に形成されたつまみ４３によりスライド部３６を前後方向に移動させることにより、先玉レンズ７ａを光軸Ｌに挿脱させているが、操作具を用いて先玉レンズ７ａを移動させることもできる。図５Ａは、本発明の実施の形態の変形例１にかかるステージ３の斜視図である。図５Ｂは、図５Ａの一部拡大図である。図５Ｂでは、上ステージ３ａを除いた状態で示している。
【００３３】
変形例１にかかる上ステージ３ａには、前面側に操作具５０を挿入する開口３ｃが設けられている。操作具５０は、先端側にＵ字状の係合部５０ａを有している。ガイド部３６上のツマミ４３の周囲には段付きビス４７が配設されており、操作具５０の係合部５０ａを段付きビス４７に係合させて前後に移動することにより、先玉レンズ７ａを光軸Ｌに挿脱することができる。開口部１６上からツマミ４３を操作することは困難である場合、例えば、標本Ｓとして２枚以上のスライドガラスを使用するような場合、操作具５０を開口３ｃから挿入して先玉レンズ７ａを光軸Ｌに挿脱することができる。
【００３４】
さらに、上記の実施の形態では、ターレット６５の複数の光学素子を配置することにより様々な観察方法にて観察を行うことができるが、明視野観察のみを行う場合はターレット６５の回転を規制するロック機構を設けることにより、ターレット６５の回転を規制することもできる。図６Ａは、本発明の実施の形態の変形例２にかかる光学素子ターレットの底面図の一態様である。図６Ｂは、発明の実施の形態の変形例２にかかる光学素子ターレットの一部断面図である。
【００３５】
変形例２において、ターレット６５の底面部には、ロックつまみ７０を嵌合する嵌合穴６９が形成されている。また、下ステージ３ｂには、ロックつまみ７０のネジ部を螺合するネジ穴３ｄが形成されている。変形例２では、ロックツマミ７０を嵌合穴６９を介してネジ穴３ｄに取り付けることにより、光軸Ｌ上から明視野観察用の光学素子６４が移動するのを防止することができる。なお、本変形例２では、明視野観察用のロック機構について説明したが、観察者のニーズに合わせて他の観察方法に使用する光学素子のロック機構としてもよい。また、ロック機構は、ターレット６５の回転を規制できれば上記したものに限定するものではなく、ロックツマミ７０をターレット６５の側面側から取り付けるものであってもよい。
【００３６】
さらにまた、上記の実施の形態および変形例では、ターレット６５内に、位相差用、暗視野用、低倍率用、および明視野用の光学素子を内蔵しているが、光学素子はこれに限定するものではない。また、位相差用の光学素子の心出しや、明視野用の開口絞りの開閉も、上記したものに限定するものではない。また、本実施の形態では、光軸Ｌ上に挿脱可能な先玉レンズ７ａと、下ステージ３ｂ内に固定されている後玉レンズ７ｂとからコンデンサレンズが構成されているが、これに限定されるものではなく、コンデンサレンズを、光軸Ｌと直交する方向に移動することにより光軸Ｌ上に挿脱可能な１つのコンデンサレンズで構成してもよい。
【符号の説明】
【００３７】
１        正立顕微鏡
２        顕微鏡本体
２ａ      ベース部
２ｂ      柱部
２ｃ      アーム部
３        ステージ
３ａ      上ステージ
３ｂ      下ステージ
３ｃ      開口
３ｄ      ネジ穴
４        光源
５        コレクタレンズ
６        光学素子ターレット
７        コンデンサレンズ
７ａ      先玉レンズ
７ｂ      後玉レンズ
８        焦準台
９        レボルバ
１０      鏡筒
１１      接眼レンズ
１２      対物レンズ
１３      焦準ハンドル
１４      ステージハンドル
１５      クレンメル
１６      開口
３１      ネジ穴
３２      係り止め部
３３      心出し操作部
３４      押さえ管
３５      コンデンサレンズ枠
３６      スライド部
３９、４１、４４、４６  ビス
３７      ガイド部
３８      カバー
４０      バネ材
４２ａ    第１溝部
４２ｂ    第２溝部
４２ｃ    第３溝部
４３      つまみ
４４      位置決め用ピン
４５      ストッパー
４７      段付きビス
５０      操作具
６１ａ、６１ｂ、６１ｃ、６２、６３、６４  光学素子
６５      ターレット
６５ａ−１、６５ａ−２、６５ａ−３、６５ａ−４、６５ａ−５、６５ａ−６  開口
６５ｂ    操作部
６５ｃ    摺動穴
６５ｄ    溝
６６      回転軸部材
６７      弾性部材
６８      押し込みネジ
６９      嵌合穴
７０      ロックつまみ
Ｓ        標本
【図１】
2018116178.tif 000003
【図２Ａ】
2018116178.tif 000004
【図２Ｂ】
2018116178.tif 000005
【図２Ｃ】
2018116178.tif 000006
【図２Ｄ】
2018116178.tif 000007
【図３】
2018116178.tif 000008
【図４】
2018116178.tif 000009
【図５Ａ】
2018116178.tif 000010
【図５Ｂ】
2018116178.tif 000011
【図６Ａ】
2018116178.tif 000012
【図６Ｂ】
2018116178.tif 000013